(57)【特許請求の範囲】
【請求項１】
左右一対のカップ部、カップ部を支えるカップ台部を少なくとも備えたカップ部を有する衣類であって、
前記カップ部を支える前中心のカップ台部は、カップ台上部とカップ台下部からなり、
前記カップ台上部は、少なくとも左右のカップ部を結ぶ横方向Ｐには伸縮しない素材からなり、
前記カップ台下部は、少なくとも左右のカップ部を結ぶ横方向Ｐに伸縮性のある素材からなり、
前記カップ台上部と前記カップ台下部は、それぞれが左右のカップくりに連接され、胸前中心部において接合されずにふらし構造とし、
前記カップ台上部の下端、及び前記カップ台下部の上端の形状は曲線であることを特徴とする、カップ部を有する衣類。
【請求項２】
前記カップ台上部及び前記カップ台下部は、カップくりの沿線上における、前記カップ台上部の胸前中心上端からカップくり下端部迄の間で分離された構造を有する、請求項１に記載のカップ部を有する衣類。
【請求項３】
前記カップ台下部は、伸び率が８０％〜２２０％であることを特徴とする請求項１又は２に記載のカップ部を有する衣類。
【発明の詳細な説明】
【技術分野】
【０００１】
本発明は、カップ部を有する衣類に関する。より詳細には、カップ部を支える前中心カップ台部がカップ台上部とカップ台下部からなり、カップ台上部とカップ台下部は、それぞれが左右のカップくりに連接され、胸前中心部において接合されずにふらし構造としていることを特徴とする、カップ部を有する衣類に関する。
【０００２】
＜語句の定義＞
本明細書において、「バスト」と「乳房」は互換的に使用され得る。
本明細書において、「皮膚」と「肌」は互換的に使用され得る。
本明細書において、「下」とは着用者の腹部方向を意味する。
本明細書において、「上」とは着用者の肩方向を意味する。
本明細書において、「縦」とは着用者の頭と足を結ぶ垂直方向を意味する。
本明細書において、「横」とは着用者の身体の幅方向を意味する。
本明細書において、「胸前中心部」とは着用者の左右の乳房の間の領域、すなわち谷間を意味する。
本明細書において、「胸前中心側」とは着用者の胸前中心方向の領域を意味する。
本明細書において、「ふらし構造」とは、生地同士を縫い付けずに浮かしておく仕様方法を意味する。
本明細書において、「カップ台部」とは、カップ部周辺でカップ部を支える部位を意味する。
本明細書において、「アンダー」とは、カップ部を有する衣類におけるカップ台部の下端付近の領域を意味する。
本明細書において、「カップくり」とは、カップ部を有する衣類におけるカップ部とカップ台部の境界部であり、カップ部の立体が発生している一帯を意味する。
本明細書において、「バージスライン」とはバストの下側の輪郭線、つまりバストと胴部の境目を示すラインを意味する。
本明細書において、「斜め方向」とは、衣類着用者の頭と足を結び、地面と垂直方向の直線に対しての斜め方向を意味する。
本明細書において、「フローティングゴア設計」とは、カップ部を有する衣類においてカップ台部を胸前中心部で上下部に分離してふらし構造とし、上部には少なくとも横方向に伸縮性を持たない素材を用い、下部には少なくとも横方向に伸縮性を持つ素材を用いて、上下のカップ台部それぞれに独立した機能を持たせるようにした設計をいう。
【背景技術】
【０００３】
従来から、カップ部を有する衣類は、女性にとって、乳房の下垂を防ぎ、理想的な形状に補正するために不可欠である。通常、カップ部を有する衣類は、左右１対のカップ部を肩紐等で吊り上げ、肩紐等を脇布の背中側や後身頃に接合することにより、カップ部を身体に固定して安定させている。また、カップ部の脇側もしくは下方の生地に厚みを持たせたり、バージスラインに沿ってワイヤーを設けたりすることにより、乳房を内側に寄せて乳房のボリュームが脇側下方向へ逃げるのを防ぐ場合もある。
【０００４】
特許文献１には、肌当たりの良さ及びバストの造形性を両立させることができ、かつ着用者の体型差に対する対応性に優れたカップ付き衣類を提供することを目的としてなされた発明が開示されている。
【先行技術文献】
【特許文献】
【０００５】
【特許文献１】特許第６３８０７２５号公報
【発明の概要】
【発明が解決しようとする課題】
【０００６】
ヌード状態のバストは、加齢による皮膚の張り感の減少や重力により、下垂しながら脇下方向へ流れる性質がある。バストの下垂や流れる重みを受け止め、美しいバストシルエットを形作るカップ部の立体的な形状は非常に重要であり、そのカップ部を支えるために胸前中心側に位置するカップ台部は、身体の動きに追随しながらずれることなく肌にフィットする機能が必要なためさらに重要である。
一方で、従来のカップ部を有する衣類では、広がったり下がったりするバストを胸前中心側に寄せるため、胸前中心部で、三角形状や富士山型のカップ台部を用いて左右のカップ部を支える構造が多く、前中心上部からバージスラインに沿ってアンダー付近まで、一枚続きで伸びない素材が使われていることが多い。
これは、前中心に伸縮性がある素材を用いると、乳房が左右に流れ、バストの形を美しく整えるというカップ部を有する衣類の機能が損なわれるためである。
【０００７】
また、前中心に伸縮性のない従来のカップ部を有する衣類には、家事を含む日常生活の中で、腕の上げ下ろしなど肩及び胸周辺を動かした際に、乳房の形状が変化すると共に、乳房周囲の皮膚が伸びたり縮んだりすることで、カップ部が乳房周囲の皮膚の動きに対応できず、カップ部と乳房の位置がずれて、その結果乳房の形状が崩れ、脇や背中にバストが流れて着崩れを起こす。長時間着崩れた状態が続くと乳房の形状が崩れ、下垂したり広がったりする問題点があった。
さらには、着崩れにより衣類全体がずれて、肩紐が肩から外れたり、アンダー部分が設計位置より上がって必要以上に締め付けが強くなることで、快適な着用感を損なうという問題点があった。
【０００８】
特許文献１のカップ付き衣類は、左右一対のカップ部の前中心にカップ土台に沿って配置される樹脂製のフレーム部材を備えることで、肌当たりの良さと、バストが脇側に流れることの防止に有効ではあるものの、樹脂製フレームの入っている前中心に伸縮性の素材が用いられていないため、動作に対する追随性の点で十分なものではなかった。特に、腕を上方に伸ばす等の大きな動作に対しては、衣類のカップ台部が腕の動きに引っ張られて大きくずれ上がり、姿勢を戻した後もアンダーが元通りの位置に戻らずにカップ部のずれも同時に発生することで着崩れが大きくなり、快適な着用感を損なう原因となっていた。
【０００９】
発明者らは、身体の動きを分析する中で、ひねり動作や腕の上げ下ろし、反り、屈みなどの日常の些細な動作に於いて、カップ台部の身体へのフィット性が美しいバストシルエットを保つために大変重要であり、そのカップ台部の中でも特に胸前中心部が、カップ部を有する衣類の着崩れに大きな影響を与えていることを知得した。
このことから、発明者らは、カップ部を支えるカップ台部に求められる身体にフィットする機能が十分に発揮でき、バストの形を美しく整えながら、且つ日常のからだの動きにも追随し着崩れをなくすことができるようなカップ部を有する衣類を開発すべく鋭意研究を重ね、胸前中心側にあるカップ台部を一枚続きではなく上下のパーツに分け、カップ台上部は伸縮性のない素材で固定し、カップ部を支える基点とすることで安定性を高め、カップ台下部はカップ部の立体形を支えながら伸縮性のある素材を用いることで、日常の動きに追随し着崩れを軽減する設計「フローティングゴア設計」を発明するに至った。
【００１０】
本発明は、バストを立体的に整えて美しい形状に補正し、日常生活の動きに対応して着崩れしにくく、長時間着用しても快適な着心地を維持すると共に、近年次第に大きくなりつつある日本人の体格に合わせた大きなカップサイズに至るまで幅広いサイズのカップ部を有する衣類に適用可能なカップ台部を提供することを目的とする。
【課題を解決するための手段】
【００１１】
請求項１に係る発明は、左右一対のカップ部、カップ部を支えるカップ台部を少なくとも備えたカップ部を有する衣類であって、前記カップ部を支える前中心のカップ台部は、カップ台上部とカップ台下部からなり、前記カップ台上部は、少なくとも左右のカップ部を結ぶ横方向Ｐには伸縮しない素材からなり、前記カップ台下部は、少なくとも左右のカップ部を結ぶ横方向Ｐに伸縮性のある素材からなり、前記カップ台上部と前記カップ台下部は、それぞれが左右のカップくりに連接され、胸前中心部において接合されずにふらし構造とし、前記カップ台上部の下端、及び前記カップ台下部の上端の形状は曲線であることを特徴とする、カップ部を有する衣類に関する。
【００１２】
請求項２に係る発明は、前記カップ台上部及び前記カップ台下部は、カップくりの沿線上における、前記カップ台上部の胸前中心上端からカップくり下端部迄の間で分離された構造を有する、請求項１に記載のカップ部を有する衣類に関する。
【００１３】
請求項３に係る発明は、前記カップ台下部は、伸び率が８０％〜２２０％であることを特徴とする請求項１又は２に記載のカップ部を有する衣類に関する。
【発明の効果】
【００１４】
請求項１に係る発明によれば、左右一対のカップ部、カップ部を支えるカップ台部を少なくとも備えたカップ部を有する衣類であって、カップを支える前中心カップ台部は、カップ台上部とカップ台下部からなり、カップ台上部とカップ台下部は、それぞれが左右のカップくりに連接され、胸前中心部において接合されずにふらし構造としているため、バストを立体的に整えて美しい形状に補正すると共に、日常生活の動きに追随して衣類が着崩れしにくく、長時間着用しても快適な着心地を維持することができる有利な効果を奏する。
また、カップ台上部は、少なくとも左右のカップ部を結ぶ横方向Ｐには伸縮しない素材からなり、カップ台下部は、少なくとも左右のカップ部を結ぶ横方向Ｐに伸縮性のある素材からなることから、カップ台上部は、伸縮性を抑えることで左右のカップ部のバランスを取る基点となり、カップ部が左右に広がるのを留め、カップ部上部の立体形をキープして安定させることができる。一方で、カップ台下部は、カップ台上部とは反対に伸縮性を持たせることで、カップ台下部のアンダーに近い部分は、呼吸時の胸部の動きに合わせて常時横方向に伸縮すると同時に、日常生活の軽いひねり動作等に対しては着用者の動きに追随して斜め方向に変形、伸縮した結果、着崩れを起こしにくいという有利な効果を奏する。
さらに、カップ台上部の下端、及びカップ台下部の上端の形状は曲線であるため、直線状のものに比べ生地の動きが身体の動きに追随しやすく、カップ台下部においては、伸びた状態でも審美性を損なわないという有利な効果を奏する。
【００１５】
請求項２に係る発明によれば、カップ台上部及びカップ台下部は、カップくりの沿線上における、カップ台上部の胸前中心上端からカップくり下端部迄の間で分離された構造を有することから、着用者の日常生活の動きに追随して衣類が着崩れしにくく、長時間着用しても快適な着心地を維持することができる有利な効果を奏する。
【００１６】
請求項３に係る発明によれば、カップ台下部に用いられる素材は、伸び率が８０％〜２２０％であるため、着用者の様々な動きに柔軟に対応し、長時間着用しても快適な着心地を維持することができる有利な効果を奏する。
【図面の簡単な説明】
【００１７】
【図１】本発明の一実施形態に係るブラジャーの正面図である。
【図２】本発明における衣類のカップ部とカップ台部の連接部分、及びカップ台部の説明図である。  （ａ）は、カップ部とカップ台部の連接部分を示す。（ｂ）はカップ台上部、（ｃ）はカップ台下部、（ｄ）はカップ台上部とカップ台下部を接合させた状態を示す。
【図３】本発明におけるカップ台上部とカップ台下部を重ね合わせてふらし構造とする範囲を説明した図である。
【図４】本発明におけるカップ台上部とカップ台下部が重ならず開口部が設けられた状態の一例を示す図である。
【図５】本発明の一実施形態に係る図１とは別の形態のブラジャーの正面図を表す図である。
【図６】本発明の一実施形態に係るロングブラジャーの正面を表す図である。
【図７】本発明の一実施形態に係るボディスーツの正面を表す図である。
【図８】本発明の一実施形態に係るボディシェーパーの正面を表す図である。
【図９】本発明の一実施形態に係るカップ付きインナーの正面を表す図である。
【発明を実施するための形態】
【００１８】
以下、本発明に係るカップ部（１）を有する衣類の好適な実施形態について、ブラジャーを例に、具体的な実施の形態に基づいて図面を参照しながら説明する。
【００１９】
以下、本発明に係るカップ部（１）を有する衣類について、図面を参照しつつ、本発明の実施形態について詳細に説明する。
図１は、本発明に係るカップ部（１）を有するブラジャー（Ｘ）の正面図である。
図１に示す実施形態は本発明をブラジャーに適用した場合を示しており、左右のカップ部（１）の間の胸前中心部（７）にカップ台上部（２Ａ）とカップ台下部（２Ｂ）からなるカップ台部（２）を備えている。さらに、図１に示す実施形態は左右の脇布（４）、左右の肩紐（５）、及び連結部（６）を有するが、これは実施の形態の１つに過ぎず、本発明のカップ部を有する衣類は、脇布（４）、肩紐（５）、及び連結部（６）のいずれか又は全てが備えられていない形態であってもよい。
【００２０】
脇布（４）及び肩紐（５）の形状および素材は、特に限定されず、一般的なブラジャーの一般的な形状および素材、例えばストラップ、紐、バンド、布地（例えばストレッチ素材の布地）が好適に用いられる。
連結部（６）の素材は、例えばホック、ピン、スナップ、面ファスナー、紐、ボタンとボタン穴等が挙げられるが、当業者に自明のものが当然採用される。
【００２１】
図２の（ａ）は、カップ部（１）とカップ台部（２）の連接部分を太線で表している。また、カップ台上部（２Ａ）の素材が伸縮しない横方向、及びカップ台下部（２Ｂ）の素材が少なくとも伸縮する横方向を矢印で示している。
図２の（ｂ）はカップ台上部（２Ａ）、（ｃ）はカップ台下部（２Ｂ）、（ｄ）はカップ台上部（２Ａ）とカップ台下部（２Ｂ）を接合させ、ふらし構造とした状態をそれぞれ示している。
本発明では、胸前中心側のカップ台部（２）を一枚続きではなく上下のパーツに分け、カップ台上部（２Ａ）は伸縮性のない素材で固定し、カップ部（１）を支える基点とすることで安定性を高め、カップ台下部（２Ｂ）はカップ部（１）の立体形を支えながら伸縮性のある素材を用いることで、日常の動きに追随し着崩れを軽減する設計「フローティングゴア設計」を実現している。
【００２２】
カップ台上部（２Ａ）は、少なくとも左右のカップ部（１）を結ぶ横方向（Ｐ）には伸縮しない素材からなり、カップ台下部（２Ｂ）は、少なくとも左右のカップ部（１）を結ぶ横方向（Ｐ）に伸縮性のある素材からなることから、カップ台上部（２Ａ）は、伸縮性を抑えることで左右のカップ部（１）のバランスを取る基点となり、カップ部（１）が左右に広がるのを留め、カップ部（１）上部の立体形をキープして安定させることができる。一方で、カップ台下部（２Ｂ）は、カップ台上部（２Ａ）とは反対に伸縮性を持たせることで、カップ台下部（２Ｂ）のアンダーに近い部分は、呼吸時の胸部の動きに合わせて常時横方向に伸縮すると同時に、日常生活の軽いひねり動作等に対しては着用者の動きに追随して斜め方向に変形、伸縮することで着崩れを起こしにくくしている。
【００２３】
カップ台下部（２Ｂ）は、少なくとも横方向に伸縮し、伸び率が８０〜２２０％であり、カップ台上部（２Ａ）は少なくとも横方向に伸縮しない素材からなるため、着用者の様々な動きに柔軟に対応し、長時間着用しても快適な着心地を維持することができる。
伸び率が８０〜２２０％とは、例えば１０ｃｍの生地が１８〜３２ｃｍの範囲まで伸縮可能であることを表す。
【００２４】
カップ台上部（２Ａ）の素材は、横方向（Ｐ）に伸縮しないものであれば特に限定されないが、マーキゼット、トリコット、天竺等の素材が好適に用いられる。
カップ台下部（２Ｂ）の素材は、少なくとも横方向（Ｐ）に伸縮するものであれば特に限定されないが、パワーネット、サテンネット、ツーウェイトリコット、ベア天竺等の素材が好適に用いられる。さらに、縦方向や斜め方向にも伸縮可能な素材であれば、日常生活における腕の上げ下ろし、ひねり、反り、及び屈む等といった動作における着用者の身体の動きに追随する際に伸縮方向の自由度も高くなるため、より望ましい。
【００２５】
図３は、カップ台上部（２Ａ）とカップ台下部（２Ｂ）を重ね合わせてふらし構造とする範囲（Ｑ）を示す。
カップ台上部（２Ａ）とカップ台下部（２Ｂ）を重ね合わせてふらし構造とする範囲（Ｑ）は、カップ台上部（２Ａ）の胸前中心部（７）上端（８）から、左右のカップ部（１）それぞれのカップくり（３）沿線上において、カップくり（３）の最下端（９）迄の間に設定されている。さらに、そのふらし構造において、カップ台上部（２Ａ）とカップ台下部（２Ｂ）を重ね合わせる位置は、カップくり（３）の最下端（９）を起点にし、カップ台上部（２Ａ）とカップ台下部（２Ｂ）を重ね合わせてふらし構造とする範囲（Ｑ）の３分の１から３分の２迄の範囲であることが望ましい。
【００２６】
カップ部（１）のサイズは、少なくとも乳房の下方から半分以上を覆うサイズのカップ、例えばフルカップであることが望ましい。
乳房の下方から半分以上を覆うサイズであれば、カップ部（１）とカップ台部（２）の連接範囲やカップ台上部（２Ａ）とカップ台下部（２Ｂ）を重ね合わせてふらし構造とする範囲（Ｑ）をより広範囲に取ることが可能になり、日常の動きに追随し着崩れを軽減する「フローティングゴア設計」の機能が十分に発揮されるため好適である。さらに、カップ部（１）が乳房全体を包み込んで形状を美しく保つ効果を奏し易いことからも好ましい。
【００２７】
図４は、カップ台上部（２Ａ）とカップ台下部（２Ｂ）が重ならず開口部（１０）が設けられた状態の一例を示す。
ふらし構造の重ね位置におけるカップ台上部（２Ａ）とカップ台下部（２Ｂ）それぞれの端部同士の重なり方は特に限定されず、一部が開口していても良く、完全に重ならずに突き合わせでも良い。
【００２８】
ふらし構造の開口部（１０）の形状は素材によっては直線状であっても良いが、カップ台上部（２Ａ）下端、及びカップ台下部（２Ｂ）上端のそれぞれが曲線形状であっても良い。
開口部（１０）が曲線形状であることで直線状のものに比べ生地の動きが身体の動きに追随しやすく、カップ台下部（２Ｂ）においては、伸びた状態でも審美性を損なわないという効果を奏するため、曲線形状が望ましい。
【００２９】
図５乃至図９は、それぞれ本発明の一実施形態に係るロングブラジャー、ボディスーツ、ボディシェーパー、カップ付インナーを表す正面図である。
本発明のカップ部（１）を有する衣類は、カップ部（１）を有する衣類であれば特に限定されず、ブラジャーの他、ロングブラジャー、ボディスーツ、ボディシェーパー、またはカップ付インナーであってもよい。
【００３０】
本発明に係るカップ部（１）を有する衣類はノンワイヤーであることが望ましい。着用者の肌に硬いワイヤーを押し付けることなく自然にフィットし、皮膚に追随することによって、着用性に優れた衣類とすることができる。
【産業上の利用可能性】
【００３１】
本発明に係るカップ部を有する衣類は、左右一対のカップ部、カップ部を支えるカップ台部を少なくとも備えたカップ部を有する衣類であって、カップ部を支える前中心カップ台部は、カップ台上部とカップ台下部からなり、カップ台上部とカップ台下部は、それぞれが左右のカップくりに連接され、胸前中心部において接合されずにふらし構造としていることを構成要件としていることから、バストを立体的に整えて美しい形状に補正すると共に、日常生活の動きに追随して衣類が着崩れしにくく、長時間着用しても快適な着心地を維持することができるカップ部を有する衣類として、ブラジャーの他、ロングブラジャー、ボディスーツ、ボディシェーパー、またはカップ付インナー等に好適に使用され得る。
【００３２】
さらに、本発明における「フローティングゴア設計」は、汎用性が高く、あらゆる規格の衣類に適用できるため、近年次第に大きくなりつつある日本人の体格に合わせ、大きなカップサイズに至るまで幅広いサイズのカップ部を有する衣類に展開可能である。
【符号の説明】
【００３３】
Ｘ      カップ部を有するブラジャー
１      カップ部
１Ａ    左カップ部
１Ｂ    右カップ部
２      カップ台部
２Ａ    カップ台上部
２Ｂ    カップ台下部
３      カップくり
４      脇布
５      肩紐
６      連結部
７      胸前中心部
８      カップ台上部の胸前中心部上端
９      カップくりの最下端
１０    開口部
Ｐ      左右のカップ部を結ぶ横方向Ｐ
Ｑ      カップ台上部とカップ台下部を重ね合わせてふらし構造とする範囲Ｑ
【要約】
【課題】バストを立体的に整えて美しい形状に補正すると共に、日常生活の動きに対応して着崩れしにくく、長時間着用しても快適な着心地を維持するカップ部を有する衣類を提供すること。
【解決手段】左右一対のカップ部、カップ部を支えるカップ台部を少なくとも備えたカップ部を有する衣類であって、カップ部を支える前中心カップ台部は、カップ台上部とカップ台下部からなり、カップ台上部とカップ台下部は、それぞれが左右のカップくりに連接され、胸前中心部において接合されずにふらし構造としていることを特徴とする、カップ部を有する衣類。
【選択図】図１【図１】
0006908317.tif 000002
【図２】
0006908317.tif 000003
【図３】
0006908317.tif 000004
【図４】
0006908317.tif 000005
【図５】
0006908317.tif 000006
【図６】
0006908317.tif 000007
【図７】
0006908317.tif 000008
【図８】
0006908317.tif 000009
【図９】
0006908317.tif 000010